(57)【特許請求の範囲】
【請求項１】
内筒面に円周方向に沿って内歯が形成され、一方の面が開放面となった有底円筒状の第１部材と、
前記内歯と噛合可能な外歯を有したポールと、
前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内するポールガイドが形成された第２部材と、
前記第１部材と前記第２部材との間で、回転可能に設けられ、前記外歯が前記内歯に噛合する方向に前記ポールを移動させるカムと、
前記カムを付勢し、前記外歯が前記内歯に噛合する方向に前記ポールを移動させるばねと、
を有し、
前記ポールの外歯が前記第１部材の前記内歯に噛合することにより、前記第１部材と第２部材との相対回転が禁止されるリクライニング装置において、
前記ポールガイドは、第１ポールガイド、第２ポールガイドからなり、
前記ポールと前記第１ポールガイドとの間に、前記ポールが案内される方向に沿って漸次減少すると共に、前記ばねの一方の端部が挿入されるくさび状の空間を設け、
前記ばねの一方の端部が直接前記くさび状の空間に食い込むことで、前記ポールを前記第２ポールガイドに押圧する
ことを特徴とするリクライニング装置。
【請求項２】
前記第１部材と前記第２部材との間で、回転可能に設けられ、前記アンロック位置方向に前記ポールを移動させるレリーズカムを有し、
該レリーズカムは、前記ポールをアンロック位置方向へ移動させる前に、前記ばねの一方の端部の前記くさび状の空間への食い込みを解除することを特徴とする請求項１記載のリクライニング装置
【請求項３】
前記くさび状の空間は切り欠きにより構成され、該切り欠きは前記第１ポールガイドのみに形成されていることを特徴とする請求項１または２記載のリクライニング装置。 
【発明の詳細な説明】
【技術分野】
【０００１】
本発明は、内歯が形成された第１部材と、前記内歯と噛合可能な外歯を有したポールと、前記第１部材と相対回転可能に設けられ、前記外歯が前記内歯と噛合するロック位置，前記外歯が前記内歯から離れたアンロック位置の間で前記ポールを案内するポールガイドが形成された第２部材と、前記外歯が前記内歯に噛合する方向に前記ポールを移動させるカムと、前記ポールをロック位置方向に付勢するばねと、を有し、前記ポールの外歯が前記第１部材の前記内歯に噛合することにより、前記第１部材と第２部材との相対回転が禁止されるリクライニング装置に関する。
【背景技術】
【０００２】
リクライニング装置の一例として、内筒面に円周方向に沿って内歯が形成され、一方の面が開放面となった有底円筒状の第１部材と、前記内歯と噛合可能な外歯を有したポールと、前記第１部材の開放面側に積層され、前記第１部材と前記円周方向に相対回転可能に設けられ、前記外歯が前記内歯と噛合するロック位置，前記外歯が前記内歯から離れたアンロック位置の間で前記ポールを案内するポールガイドが形成された第２部材と、前記第１部材と前記第２部材との間で、回転可能に設けられ、前記外歯が前記内歯に噛合する方向に前記ポールを移動させるカムと、を有し、前記ポールの外歯が前記第１部材の前記内歯に噛合することにより、前記第１部材と第２部材との相対回転が禁止されるものがある。
【０００３】
このような構造のリクライニング装置においては、ロック位置にあるポールとポールガイド間のガタをなくし、シートバックのガタを防止するために、ロック位置にあるポールをポールガイドに押しつけ、ロック位置にあるポールとポールガイド間のガタをなくす第２カムを別途設けたものがある（例えば、特許文献１参照）。
【先行技術文献】
【特許文献】
【０００４】
【特許文献１】特開２０１０−０２２４００号公報
【発明の概要】
【発明が解決しようとする課題】
【０００５】
しかし、特許文献１に記載された構造では、ロック位置にあるポールとポールガイドとのガタをなくすために、第２カムが別途必要である。
よって、リクライニング装置の部品点数が増え、質量が増加する問題点がある。又、第２カムは一般的にかなり小さい部品のため、加工も困難である。
【０００６】
本発明は、上記問題点に鑑みてなされたもので、その課題は、ポールをポールガイドに押しつける第２カムが不要なリクライニング装置を提供することにある。
【課題を解決するための手段】
【０００７】
上述した課題のうち少なくとも一つを実現するために、本発明の一側面を反映したリクライニング装置は、内筒面に円周方向に沿って内歯が形成され、一方の面が開放面となった有底円筒状の第１部材と、前記内歯と噛合可能な外歯を有したポールと、前記第１部材の開放面側に積層され、前記第１部材と前記円周方向に相対回転可能に設けられ、前記外歯が前記内歯と噛合するロック位置，前記外歯が前記内歯から離れたアンロック位置の間で前記ポールを案内するポールガイドが形成された第２部材と、前記第１部材と前記第２部材との間で、回転可能に設けられ、前記外歯が前記内歯に噛合する方向に前記ポールを移動させるカムと、前記カムを付勢し、前記外歯が前記内歯に噛合する方向に前記ポールを移動させるばねと、を有し、前記ポールの外歯が前記第１部材の前記内歯に噛合することにより、前記第１部材と第２部材との相対回転が禁止されるリクライニング装置において、前記ポールガイドは、第１ポールガイド、第２ポールガイドからなり、前記ポールと前記第１ポールガイドとの間に、前記ポールが案内される方向に沿って漸次減少すると共に、前記ばねの一方の端部が挿入されるくさび状の空間を設け、前記ばねの一方の端部が直接前記くさび状の空間に食い込むことで、前記ポールを前記第２ポールガイドに押圧することを特徴とする。
【０００８】
本発明の他の特徴は、以下に述べる発明を実施するための形態並びに添付の図面から一層明らかになるであろう。
【発明の効果】
【０００９】
本発明のリクライニング装置よれば、前記ポールガイドは、第１ポールガイド、第２ポールガイドからなり、前記ポールと前記第１ポールガイドとの間に、前記ポールが案内される方向に沿って漸次減少すると共に、前記ばねの一方の端部が挿入されるくさび状の空間を設け、前記ばねの一方の端部が直接前記くさび状の空間に食い込むことで、前記ポールを前記第２ポールガイドに押圧することにより、ポールとポールガイドとのガタがなくなるので、従来必要であったポールをポールガイドに押しつける第２カムが不要となる。
【００１０】
本発明の他の効果は、以下に述べる発明を実施するための形態並びに添付の図面から一層明らかになるであろう。
【図面の簡単な説明】
【００１１】
【図１】本実施形態のリクライニング装置の分解斜視図である。
【図２】図１の矢印II方向から見た分解斜視図である
【図３】図１のリクライニング装置の部品を組み付け、ポールガイド以外の第２部材を除いた状態で、矢印III方向から見たロック時の正面図である。
【図４】図３においてアンロック時の正面図である。
【図５】図３において、第２部材を組み付けた状態における切断線V−Vでの断面図である。
【図６】図３のVI部分の拡大図である。
【図７】本実施形態のリクライニング装置が設けられたシートの構成図である。
【図８】くさび状の空間の他の形態例を説明する図である。
【図９】くさび状の空間の他の形態例を説明する図である。
【図１０】くさび状の空間の他の形態例を説明する図である。
【図１１】くさび状の空間の他の形態例を説明する図である。
【図１２】くさび状の空間の他の形態例を説明する図である。
【図１３】くさび状の空間の他の形態例を説明する図である。
【図１４】くさび状の空間の他の形態例を説明する図である。
【発明を実施するための形態】
【００１２】
図面を用いて実施形態を説明する。
最初に、図７を用いて、本実施形態のリクライニング装置が設けられたシートの説明を行う。シート１は、着座者の臀部を支持するシートクッション２と、シートクッション２に対して前後方向に傾動可能に設けられ、着座者の背部を支持するシートバック３とからなっている。４はシートバック３の傾動の回転軸（Ｏ）上に設けられ、シートバック３の傾動を許可／禁止するリクライニング装置である。
【００１３】
また、このリクライニング装置４は、前傾れ状態から後ろ倒れ状態で傾動可能である。そして、初段ロック状態から後ろ倒れ状態までの間及び前傾れ状態では、シートバック３の傾動を許可／禁止可能となっているが、初段ロック状態から前傾れ状態までの間では、ロック解除保持機構（詳細は後述）により、ロック解除保持状態となり、操作レバーを操作しなくても、シートクッションの傾動が可能となっている。
【００１４】
本実施形態のリクライニング装置は、シートの左右に設けられ、構造は同じであるので、以下、一方の側のリクライニング装置４を説明する。
図１−図６を用いて、リクライニング装置４の説明を行う。図１は本実施形態のリクライニング装置の分解斜視図、図２は図１の矢印II方向から見た分解斜視図、図３は図１のリクライニング装置の部品を組み付け、ポールガイド以外の第２部材を除いた状態で、矢印II方向から見たロック時の正面図、図４は図３においてアンロック時の正面図、図５は図３において、第２部材を組み付けた状態における切断線V−Vでの断面図、図６は図３のVI部分の拡大図である。
【００１５】
最初に、図１、図２を用いて、全体構成を説明する。
シートバック３側に設けられるラチェット（第１部材）２１は、円板状の板材をプレスにより半抜加工した有底円筒状で、円形凹部２１ａが形成されている。この円形凹部２１ａの内周面には、内歯２３が円周方向全域に形成されている。また、円形凹部２１ａの中心には、シートバック３の傾動の回転軸（図１、図２において軸Ｏ）に沿って配置されるシャフト（図示せず）が遊挿される貫通した穴２１ｂが形成されている。尚、本実施形態の図示しないシャフトの断面形状は、小判形とした。
【００１６】
シートクッション２側に設けられるベースプレート（第２部材）２５も、ラチェット２１と同様に円板状の板材をプレスにより半抜加工して形成され、円形凹部２５ａが形成されている。この円形凹部２５ａの径は、ラチェット２１の外径より若干大きく設定されている。そして、円形凹部２５ａに、ラチェット２１が嵌め込まれ、ベースプレート２５とラチェット２１とは相対回転可能となっている。また、ベースプレート２５の中心には、図示しないシャフトが遊挿される貫通した穴２５ｂが形成されている。
【００１７】
ラチェット２１の外周部と、ベースプレート２５の外周部とは、リング状の外周リング２７により挟持され、ラチェット２１とベースプレート２５とは、相対回転の軸Ｏ方向に分離されることなく、相対回転可能に保持されている。
ラチェット２１の円形凹部２１ａとベースプレート２５の円形凹部２５ａとが形成する空間には、カム３１が配置される。カム３１の中心には、図示しないシャフトが嵌合する小判穴３１ａが形成されている。そして、図示しないシャフトとカム３１とは一体となって回転する。このため、この図示しないシャフトは、シートの両側部に設けられたリクライニング装置のうちの一方のリクライニング装置のカム３１の動きを他方のリクライニング装置のカムへ伝達する伝達部材となっている。又、カム３１には、ラチェット２１方向に突出する３つの突部３１ｃが形成されている。更に、カム３１の外周部には、周方向に沿って３つの第１突部３１ｄと、３つの第２突部３１ｅとが交互に形成されている。更に、カム３１には、後述する３つの線細工ばね５１が係合する３つの穴３１ｆが形成されている。
【００１８】
カム３１とラチェット２１の円形凹部２１ａとの間には、レリーズプレート（レリーズカム）３３が配置される。このレリーズプレート３３には、カム３１の３つの突部３１ｃが係合する穴３３ａが形成されている。この突部３１ｃと穴３３ａの係合により、カム３１とレリーズプレート３３とは一体となって回転する。又、レリーズプレート３３の中心部には、穴３３ｅが形成されている。穴３３ｅは、図示しないシャフトが遊挿される円形穴部３３ｆと、円形穴部３３ｆの周部から径方向に延びる３つの突出穴３３ｇとからなっている。突出穴３３ｇは軸Ｏを中心とする円周方向において略１２０°ピッチで配置されている。また、突出穴３３ｇの幅および径方向の長さは、後述するばねの径より大きく設定されている。
【００１９】
レリーズプレート３３とベースプレート２５の円形凹部２５ａとの間には、軸Ｏを中心とする円周方向に沿って３つのポール４１が配置されている。尚、本実施形態では、ポール４１は、軸Ｏを中心とする円周方向において略１２０°ピッチで配置されている。ポール４１の内歯２３と対向する面には、内歯２３に噛合可能な外歯４１ａが形成されている。ポール４１の外歯４１ａが設けられた面と反対側の面には、カム３１の第１突部３１ｄが当接可能な第１被当接部４１ｂと、カム３１の第２突部３１ｅが当接可能な第２被当接部４１ｃとが形成されている。
【００２０】
ベースプレート２５の円形凹部２５ａには、相対回転の軸Ｏを中心とする円の周方向に沿って、１２０°ピッチで３つのポールガイド突部３７が形成されている。隣接する２つのポールガイド突部３７により、各ポール４１は相対回転の軸Ｏを中心とする円の径方向にのみ移動可能となっている。即ち、ポールガイド突部３７は、外歯４１ａがラチェット２１の内歯２３と噛合するロック位置，外歯４１ａがラチェット２１の内歯２３から離れたアンロック位置の間で、ポール４１を案内する。
【００２１】
ポール４１のレリーズプレート３３と対向する面には、レリーズプレート３３方向に突出する突部４１ｄが形成されている。レリーズプレート３３には、これらポール４１の突部４１ｄが係合するカム穴３３ｂが形成されている。このカム穴３３ｂには、ポール４１の突部４１ｄが当接する傾斜面が形成され、レリーズプレート３３が図１、図２において矢印Ｔ方向と逆方向に回転すると、ポールガイド突部３７に沿って、ポール４１の外歯４１ａがラチェット２１の内歯２３より離れる方向（アンロック位置方向）にポール４１を移動させる形状に設定されている。
【００２２】
レリーズプレート３３とラチェット２１の円形凹部２１ａとの間には、略Ｃ状に湾曲された３つの線細工ばね５１が配置される。
ここで、本実施形態のポール４１をアンロック位置に保持するロック解除保持機構の説明を行う。
【００２３】
図１に示すように、ラチェット（第１部材）２１の内歯２３より底面の内筒面には、相対回転の軸Ｏに向かって突出し、円周方向に沿った円弧状のガイド６１が形成されている。ガイド６１は、相対回転の軸Ｏに向かっての突出量が異なる２種類の円弧状突部からなっている。第１の円弧状突部は、中心角がリクライニング装置のロック解除保持状態の角度と同じ３つの小径部６１ａである。第２の突出部はこれら３つの小径部６１ａの間に、径方向の突出量が小径部６１ａより小さい３つの大径部６１ｂである。
【００２４】
図２に示すように、ポール４１には、ラチェット２１の円弧状のガイド６１（小径部６１ａ，大径部６１ｂ）に当接可能な突部４１ｅが形成されている。
そして、大径部６１ｂの突出量は、ポール４１の突部４１ｅがラチェット２１のガイド６１の大径部６１ｂに対向する状態で、ポール４１の外歯４１ａがラチェット２１の内歯２３に噛合可能な突出量に設定されている。一方、小径部６１ａの突出量は、ポール４１の突部４１ｅがラチェット２１のガイド６１の小径部６１ａに対向する状態で、ポール４１の外歯４１ａがラチェット２１の内歯２３に噛合不可能な突出量に設定されている。
【００２５】
よって、本実施形態では、ラチェット（第１部材）２１のガイド６１の小径部６１ａと、ポール４１の突部４１ｅとで、ポール４１をアンロック位置に保持するロック解除保持機構が形成されている。
次に、本実施形態の発明部分を図１、図６を用いて説明する。
【００２６】
ポール４１の側部を挟むように設けられた隣接する２つのポールガイド突部３７には、それぞれ、ポール４１の一方の側部と対向する第１ポールガイド３７ａと、ポール４１の他方の側部と対向する第２ポールガイド３７ｂとが形成されている。
第１ポールガイド３７ａと対向するポール４１のポール壁部４１ｆと、ポール４１と対向する第１ポールガイド３７ａのポールガイド壁部３７ｃとの間に、両壁部の間隔がポール４１が案内される方向（相対回転の軸Ｏを中心とする円の径方向）に沿って漸次減少するくさび状の空間Ｓが形成されている。
【００２７】
本実施形態では、第１ポールガイド３７ａに、ポールガイド壁部３７ｃ、ポール壁部４１ｆに対して傾斜した底面を有し、相対回転の軸Ｏに向かうに従って相対回転の軸Ｏを中心とする円の周方向の幅が漸次狭くなる切り欠き３７ｄを設けることで、くさび状の空間Ｓを形成した。
【００２８】
３つの線細工ばね５１の一方の端部側には、ベースプレート２５側に折曲された第１端部５１ａが形成され、他方の端部側には、ベースプレート２５側に折曲された第２端部５１ｂが形成されている。
そして、線細工ばね５１は、弾性変形した状態で、その第１端部５１ａは、レリーズプレート３３の穴３３ｅの突出穴３３ｇを通り、カム３１に形成された穴３１ｆに係合し、第２端部５１ｂは、くさび状の空間Ｓに挿入されている。
【００２９】
図６に示すように、線細工ばね５１の弾性反発力により、線細工ばね５１の第１端部５１ａは、カム３１の穴３１ｆの内壁面を力Ｆで押圧し、カム３１は、第１突部３１ｄ、第２突部３１ｅが、それぞれポール４１の第１被当接部４１ｂ、第２被当接部４１ｃに当接する方向（一方の方向）に付勢されている。
【００３０】
又、くさび状の空間Ｓに挿入された第２端部５１ｂは、ポール４１のポール壁部４１ｆを力Ｆ’で直接押圧する。Ｆ’の分力Ｆ１’は、ポール４１と第２ポールガイド３７ｂとのガタをなくす方向にポール壁部４１ｆを押圧している。又、Ｆ’の分力Ｆ２’は、線細工ばね５１の第２端部５１ｂをポール４１のアンロック位置方向であるくさび状の空間Ｓに食い込む方向に付勢している。
【００３１】
更に、本実施形態では、レリーズプレート３３の周縁には、３つの凸部３３ｈと３つの凹部３３ｉとが、交互に形成されている。更に、ポール４１の外歯４１ａがラチェット２１の内歯２３ａに噛合するロック状態では、線細工ばね５１の第２端部５１ｂとレリーズプレート３３の凹部３３ｉとが対向するように、レリーズプレート３３の凸部３３ｈと凹部３３ｉとは形成されている。
【００３２】
ここで、上記構成のリクライニング装置の作動を説明する。
通常、線細工ばね５１の弾性反発力により、カム３１を介して、ベースプレート２５に設けられたポール４１は、外歯４１ａが、ラチェット２１の内歯２３に噛合したロック位置にあり、ラチェット（第１部材）２１とベースプレート（第２部材）２５との相対回転は禁止され、シートバックはシートクッションに対して回転ができない状態（ロック状態）にある。
【００３３】
線細工ばね５１の付勢力に抗して、カム３１を操作して、他方の方向（矢印Ｔと逆の方向）に回転させると、カム３１の突部３１ｃとレリーズプレート３３の穴３３ａの係合関係から、レリーズプレート３３も共に回転する。最初に、線細工ばね５１の第２端部５１ｂと対向するレリーズプレート３３の周縁が凹部３３ｉから凸部３３ｈに移行する。くさび状の空間Ｓに食い込む方向に付勢された線細工ばね５１の第２端部５１ｂはレリーズプレート３３の凸部３３ｈにより、くさび状の空間Ｓに食い込む方向と逆方向に引き抜かれ、線細工ばね５１によるポール壁部４１ｆへの押圧が弱くなる。
【００３４】
更に、レリーズプレート３３が回転すると、ポール４１の突部４１ｄが係合するレリーズプレート３３のカム穴３３ｂの傾斜面により、ポール４１は、外歯４１ａとラチェット２１の内歯２３との噛合が解除されたアンロック位置に移動し、ラチェット（第１部材）２１とベースプレート（第２部材）２５との相対回転が可能となり、シートバックはシートクッションに対して回転可能となる。
【００３５】
カム３１への操作力を解除すると、線細工ばね５１の付勢力により、カム３１、レリーズプレート３３は元位置に復帰し、線細工ばね５１の第２端部５１ｂと対向するレリーズプレート３３の周縁が凸部３３ｈから凹部３３ｉに移行し、ポール４１の外歯４１ａがラチェット２１の内歯２３に噛合し、ラチェット（第１部材）２１とベースプレート（第２部材）２５との相対回転は禁止され、再びロック状態となる。
【００３６】
本実施形態によれば、以下のような効果が得られる。
(1) ポール４１の第１ポールガイド３７ａと対向するポール壁部４１ｆと、第１ポールガイド３７ａのポール４１と対向するポールガイド壁部３７ｃとの間、即ち、ポール４１と第１ポールガイド３７ａとの間に、両壁部の間隔がポール４１が案内される方向（相対回転の軸Ｏを中心とする円の径方向）に沿って漸次減少するくさび状の空間Ｓを設け、線細工ばね５１の第２端部５１ｂは、くさび状の空間Ｓに挿入され、ポール４１のポール壁部４１ｆを力Ｆ’で押圧する。そして、Ｆ’の分力Ｆ１’は、ポール４１と第２ポールガイド３７ｂとのガタをなくす方向にポール壁部４１ｆを押圧している。よって、ポール４１とポールガイド突部３７（ポールガイド）とのガタがなくなり、シートバックのガタを防止でき、従来必要であったポールをポールガイドに押しつける第２カムが不要となる。
【００３７】
(2) レリーズプレート３３は、ポール４１をアンロック位置方向へ移動させる前に、線細工ばね５１の第２端部５１ｂをくさび状の空間Ｓに食い込む方向と逆方向に引き抜くことにより、線細工ばね５１によるポール壁部４１ｆへの押圧が弱くなり、ポール４１をスムーズにアンロック位置方向へ移動できる。
【００３８】
(4) 第１ポールガイド３７ａに、相対回転の軸Ｏに向かうに従って相対回転の軸Ｏを中心とする円の周方向の幅が漸次狭くなる切り欠き３７ｄを設けることで、くさび状の空間Ｓを形成した。即ち、ポール４１に切り欠きを形成しないので、ポール４１の強度低下を防止できる。
【００３９】
本発明は、上記実施形態に限定するものではない。
例えば、くさび状の空間Ｓは、図８−図１４に示すような形態でもよい。
尚、図８−図１４において、図１−図７に示す部分と同じ部分は同一符号を付し、重複する説明は省略する。
【００４０】
先ず、図８−図１０は、実施形態と同様に、相対回転の軸Ｏに向かうに従って相対回転の軸Ｏを中心とする円の周方向の幅が漸次狭くなるくさび状の空間Ｓの他の形態例である。
図８では、ポール４１にポールガイド壁部３７ｃ、ポール壁部４１ｆに対して傾斜した底面を有した切り欠き１４１ａを設け、第１ポールガイド３７ａにポールガイド壁部３７ｃ、ポール壁部４１ｆに対して平行な切り欠き１３７ａを設けた。
【００４１】
図９では、ポール４１と、第１ポールガイド３７ａとに、ポールガイド壁部３７ｃ、ポール壁部４１ｆに対して傾斜した底面を有した切り欠き２４１ａ、２３７ａを設けた。
切り欠き２４１ａ、２３７ａの底面の傾斜は、いずれも、相対回転の軸Ｏに向かうに従って切り欠きの深さが浅くなる斜面である。
【００４２】
図１０では、ポール４１と、第１ポールガイド３７ａとに、ポールガイド壁部３７ｃ、ポール壁部４１ｆに対して傾斜した底面を有した切り欠き３４１ａ、３３７ａを設けた。
切り欠き３３７ａの底面の傾斜は、相対回転の軸Ｏに向かうに従って切り欠きの深さが浅くなる斜面であり、切り欠き３４１ａの底面の傾斜は、相対回転の軸Ｏに向かうに従って切り欠きの深さが深くなる斜面である。
【００４３】
次に、図１１−図１４は、実施形態と異なり、相対回転の軸Ｏに向かうに従って相対回転の軸Ｏを中心とする円の周方向の幅が漸次広くなるくさび状の空間Ｓ’の形態例である。
図１１では、第１ポールガイド３７ａにのみポールガイド壁部３７ｃ、ポール壁部４１ｆに対して傾斜した底面を有した切り欠き４３７ａを設けた。
【００４４】
図１２では、ポール４１にポールガイド壁部３７ｃ、ポール壁部４１ｆに対して傾斜した底面を有した切り欠き５４１ａを設け、第１ポールガイド３７ａにポールガイド壁部３７ｃ、ポール壁部４１ｆに対して平行な切り欠き５３７ａを設けた。
図１３では、ポール４１と、第１ポールガイド３７ａとに、ポールガイド壁部３７ｃ、ポール壁部４１ｆに対して傾斜した底面を有した切り欠き６４１ａ、６３７ａを設けた。
【００４５】
切り欠き６４１ａ、６３７ａの底面の傾斜は、いずれも、相対回転の軸Ｏに向かうに従って切り欠きの深さが深くなる斜面である。又、切り欠き６４１ａの相対回転軸の軸Ｏと離れる方向の端部は、ポール壁部４１ｃと周方向でラップしている。
図１４では、ポール４１と、第１ポールガイド３７ａとに、ポールガイド壁部３７ｃ、ポール壁部４１ｆに対して傾斜した底面を有した切り欠き７４１ａ、７３７ａを設けた。
【００４６】
切り欠き７３７ａの底面の傾斜は、相対回転の軸Ｏに向かうに従って切り欠きの深さが深くなる斜面であり、切り欠き７４１ａの底面の傾斜は、相対回転の軸Ｏに向かうに従って切り欠きの深さが浅くなる斜面である。
更に、上記実施形態では、線細工ばね５１の第１端部５１ａは、カム３１に係合し、カム３１を付勢したが、カム３１と一体となって回転するレリーズプレート３３に係合させてもよい。
【符号の説明】
【００４７】
２１  ラチェット（第１部材）
２５  ベースプレート（第２部材）
３１  カム
３７  ポールガイド
３７ａ  第１ポールガイド
３７ｂ  第２ポールガイド
４１  ポール
５１  線細工ばね
【図１】
0006491978.tif 000002
【図２】
0006491978.tif 000003
【図３】
0006491978.tif 000004
【図４】
0006491978.tif 000005
【図５】
0006491978.tif 000006
【図６】
0006491978.tif 000007
【図７】
0006491978.tif 000008
【図８】
0006491978.tif 000009
【図９】
0006491978.tif 000010
【図１０】
0006491978.tif 000011
【図１１】
0006491978.tif 000012
【図１２】
0006491978.tif 000013
【図１３】
0006491978.tif 000014
【図１４】
0006491978.tif 000015